(57)【要約】      （修正有）【課題】リング状の装身具を提供する。【解決手段】円周方向に上記装身具１のリング中心軸Ｍを中心にぐるりと延在する装飾部３と、円周に沿って領域単位で装飾部３の上方に延在する台座５と、を備え、装飾部３は、台座５に対して相対的にリング中心軸Ｍを中心に回転可能である。【選択図】図３
0003224180.tif 000002
【実用新案登録請求の範囲】
【請求項１】
リング状装身具（１）であって、
円周方向に前記装身具（１）のリング中心軸（M）を中心にぐるりと延在する装飾部（３）と、
円周に沿って領域単位で前記装飾部（３）の上方に延在する台座（５）と、
を備え、
前記装飾部（３）は、前記台座（５）に対して相対的に前記リング中心軸（M）を中心に回転可能である、リング状装身具（１）。
【請求項２】
前記装飾部（３）は、前記台座（５）に対して相対的に固定された、前記装身具（１）のリング状の本体（９）で回転自在に支承されることを特徴とする、請求項１に記載の装身具（１）。
【請求項３】
前記本体（９）の側方には２つの側部（１３、１５）が周設され、前記装飾部（３）は、前記側部（１３、１５）の間に配置されることを特徴とする、請求項１から請求項２のいずれか１項に記載の装身具（１）。
【請求項４】
a）前記側部（１３、１５）は、前記本体（９）に嵌め込まれ及び／又は前記本体（９）に係止されており、及び／又は、
b）前記台座（５）は、前記本体（９）と、及び／又は、前記側部（１３、１５）の少なくとも１つと、溶接又はろう接を含む材料結合により結合される
ことを特徴とする、請求項１から請求項３のいずれか１項に記載の装身具（１）。
【請求項５】
前記本体（９）は、前記装飾部（３）を支承するためのぐるりと周回する中央の支承隆起部（１７）を有し、前記支承隆起部（１７）の最下部（１９）を起点として両側に、外側に向かって上昇する係合面（２１、２３）が前記本体（９）に形成されることを特徴とする、請求項１から請求項４のいずれか１項に記載の装身具（１）。
【請求項６】
前記側部（１３、１５）はそれぞれ、リング中心軸に向かって下降する複数の嵌込部（２５、２７）を有し、前記嵌込部（２５、２７）は、前記側部（１３、１５）を前記本体（９）に固定するために、前記本体（９）の前記係合面（２１、２３）と協働するよう構成されることを特徴とする、請求項１から請求項５のいずれか１項に記載の装身具（１）。
【請求項７】
a）前記台座（５）は、宝石が１つだけ装着される台座として形成され、及び／又は、
b）前記装飾部（３）は、宝石のための少なくとも１つの他の台座、又は複数の他の台座を有する
ことを特徴とする、請求項１〜６のいずれか１項に記載の装身具（１）。
【請求項８】
前記装身具は、指輪として、又は、足輪若しくはトゥリングとして形成されることを特徴とする、請求項１から請求項７のいずれか１項に記載の装身具（１）。
【考案の詳細な説明】
【技術分野】
【０００１】
本考案は、リング状装身具に関する。
【背景技術】
【０００２】
リング状の装身具、例えば、指輪又は足輪／トゥリングが知られている。
【０００３】
、
このようなリング状の装身具は、円周方向に装身具のリング中心軸を中心にぐるりと延在する装飾部と、円周に沿って領域単位で装飾部の上方に延在し、特に円周方向と直交する方向にも延在する台座、特に上記装飾部の上方に載置された台座と、を有する。装飾部は、簡素であるが高価な金属表面を有していてもよく、又は、外側の周面に少なくとも１つの装飾、例えば宝石を有していてもよい。台座は特に、宝石を収容又は担持するよう構成されうる。
【考案の概要】
【考案が解決しようとする課題】
【０００４】
本考案の根底には、このような装身具の印象が変わり、特により複雑に形成されるリング状装身具及びリング状装身具を製造する方法を創出するという課題がある。
【課題を解決するための手段】
【０００５】
本課題は、独立請求項の主題が創出されることで解決される。有利な構成は、従属請求項から明らかとなろう。
【０００６】
本課題は、特に、装飾部が台座に対して相対的にリング中心軸を中心に回転可能であるように上述の形態によるリング状装身具を更に発展させることで、解決される。このようにして、リング状装身具に固定された台座と、当該台座に対して相対的に回転自在な装飾部と、の複雑な構成が獲得され、特に、一方の台座と他方の装飾部との間の相対的な位置関係が変更されうる。これにより、リング状装身具の印象も繰り返し変えられ、装身具を身に着けた人物のその瞬間の個人的な要求及び好みに合わせられる。さらに、台座に対して相対的に装飾部が回転することで、装身具を身に着けた人物にとってのリラックスした快適な運動及びながら作業が可能となる。
【０００７】
装飾部は、好適に、台座に対して相対的にリング中心軸を中心に回転自在に支承されている。
【０００８】
装飾部は、好適に径方向に、台座の下方を回転自在に支承されており、即ち、台座からリング中心軸の方向に見て台座の下方を通り抜けて回転する。
【０００９】
リング中心軸とは特に、リング状装身具が外周に沿ってぐるりと周回する仮想上の軸である。同様に、リング中心軸とは特に、指輪がそれに沿って装身具へと案内され、又は、足輪若しくはトゥリングとして形成された装身具が装着されるつま先がそれに沿って装身具へと案内される仮想上の軸である。
【００１０】
対応して、軸方向とは、リング中心軸に沿って延びる方向である。円周方向とは、リング中心軸を環状にぐるりと周回する方向である。径方向とは、リング中心軸と直行する方向である。
【００１１】
装飾部は、好適に完全に円周方向に沿って、リング中心軸を中心としてぐるりと延在している。特に、装飾部は好適にリング状に形成されている。
【００１２】
本考案の一実施形態によれば、装身具が特にリング状の本体を有しており、装飾部が本体で回転自在に支承されることが構想される。同時に、本体は、台座に対して相対的に固定されており、及び／又は、台座は、本体に対して相対的に固定されている。このようにして、本体は、特に、一方の台座と他方の装飾部との間の機械的な結合を提供しうると共に、一方の台座と他方の装飾部との間の回転自在な分離を可能にする。
【００１３】
好適に、装飾部は本体に載置される。特に好適に、装飾部は、本体の外側の周面に載置される。特に好適に、装飾部は本体を滑走するよう支承される。特に、本体と装飾部とは、滑り軸受を形成する。
【００１４】
本考案の一実施形態によれば、本体の側方には２つの側部が周設され、装飾部が側部の間に配置されることが構想される。ここで、本体は、リング中心軸に沿って見て、第１の側と、リング中心軸に沿って第１の側とは反対側の第２の側と、を有し、上記の各側に側部が１つずつ配置される。上記側部は、同時に装飾部を両側から包囲し、このようにして、装飾部が本体から解離することを防止する。
【００１５】
好適に、側部はそれぞれリング状に形成される。
【００１６】
装飾部は、好適に側部の間で支承され、特に好適に側部の間に案内される。この場合、側部は、特に少なくとも領域単位で、装飾部のための側方の案内部を提供する。
【００１７】
装飾部は、その回転位置に関して、特に本体及び側部に対して相対的に固定されてはおらず、即ち、リング中心軸を中心に自在に回転しうる。しかしながら、他の全ての自由度に関しては、装飾部は、好適に本体上の側部の間で固定されている。
【００１８】
側部と、本体と、台座と、から選択される少なくとも１つの構成要素は、好適に、金、白金、及び銀から成る群から選択される１つの材料を有し又は当該１つの材料で構成される。特に上記材料を用いて、特に高価なリング状装身具を提供することが可能である。
【００１９】
本考案の一実施形態によれば、側部は、本体に嵌め込まれ及び／又は本体に係止されることが構想される。このようにして、側部を簡単かつ確実に本体と結合することが可能である。
【００２０】
代替的又は追加的に、台座は、本体と、及び／又は、側部の少なくとも１つ、好適には双方の側部と、材料結合により結合され、特に溶接又はろう接により結合されることが好適に構想される。このようにして台座が、簡単で安定的で堅牢な形態により、本体と、及び／又は、少なくとも１つの側部、好適には双方の側部と、結合されうる。
【００２１】
本考案の一実施形態によれば、本体は、装飾部を支承するためのぐるりと周回する中央の支承隆起部を有することが構想される。ここでは、支承隆起部は、円周方向に沿って、特に円周全体に沿って本体にぐるりと延在し、その意味において中央に配置されており、リング中央軸に沿って見て本体の中央に配置されるように、形成されている。支承隆起部の最下部を起点として両側に、リング中心軸に沿って見て、外側に向かって上昇する係合面が本体に形成されている。このようにして、簡単に作られると共に安定的な、側部を固定するための係合形状が提供される。
【００２２】
係合面が外側に向かって上昇するとは、特に、係合面が、リング中心軸に沿って測定された本体の中心から見て、それぞれ本体の側部の方向に上昇していることを意味している。係合面が上昇するとは、リング中心軸から測定された、係合面を形成する外側の周面の径方向位置が、係合面に沿って外側に向かって、即ち側方に向かって高くなり、即ち、リング中心軸から遠ざかることを意味している。これにより、支承隆起部の支承最下部が、本体の外側の周面に設けられた径方向の中央の凹部を形成する。
【００２３】
本考案の一実施形態によれば、側部はそれぞれ、リング中心軸に向かって下降する複数の嵌込部を有することが構想される。この嵌込部は、側部を本体に固定するために、本体の係合面と協働するよう構成されている。嵌入部は特に径方向に、弾性を備えて形成される。嵌入部がリング中央軸に向かって下降するとは、特に、嵌入部が、側部に設けられた基点又は固定点からリング中央軸の方向に向かって、即ち特にリング中央軸に対して斜めにリング中央軸へと方向付けられて、延在していることを意味している。
【００２４】
嵌入部は、各側部に、円周方向にぐるりと配置されており、特に、互いに同じ角度間隔で配置されている。但し、好適に、嵌入部は台座の領域には設けられておらず、従って、リング状装身具が組み立てられた状態において台座が配置される領域には設けられていない。これにより、側部の領域においても台座を簡単かつ安定的に配置することが可能となる。
【００２５】
本考案の一実施形態によれば、台座は、宝石が１つだけ装着される台座として形成されることが構想される。即ち、台座は特に、一つ嵌めの宝石として形成された宝石、特にダイアモンド、好適にはブリアントカットのダイアモンドを収容して保持するよう構成される。
【００２６】
代替的又は追加的に、装飾部は、宝石を収容するよう構成された他の台座、又は、複数の他の台座を有する。その限りにおいて、上記台座を第１の台座とも称することが可能であり、ここで、他の台座（複数も含む）は、第２の台座（複数を含む）と称され、従って、装飾部は、宝石のための第２の台座又は複数の第２の台座を有する。第２の台座（複数を含む）は、好適に小台座として形成される。このことは特に、小台座が第１の台座よりも小さく、特に、より小さな宝石を収容するよう構成されていることを意味している。上記より小さな宝石とは、特に貴石、好適にはダイアモンド、特に好適にはブリアントカットのダイアモンドでありうる。
【００２７】
側部が少なくとも１つの第３の土台、好適には複数の第３の台座を有しており、特に、少なくとも１つの小台座又は複数の小台座を有していることが可能である。
【００２８】
代替的又は追加的に、少なくとも１つの側部及び／又は装飾部が、装飾が施された装飾面、特に、特に装飾樹脂面又は装飾流し込み面、及び／又は、少なくとも１つの象嵌細工又は嵌め込み細工を有することも可能である。さらに、このような装飾面を機械的に加工し、例えばフライス削り又は彫金によって加工することも可能である。これにより、流し込み空間が設けられた構造が獲得され、この流し込み空間が設けられた構造には、樹脂、又は、他の特に着色された好適に冷間硬化する流し込み材料が流し込まれ、例えば合成樹脂が流し込まれる。このようにして、非常に高価で本物の印象を与える装飾面が創出される。
【００２９】
少なくとも１つの側部及び／又は装飾部が、厳密に１つの他の第２又は第３の台座、特に小台座を有するということも可能である。
【００３０】
本考案の一実施形態によれば、リング状装身具が指輪として形成されることが構想される。代替的に、装身具が足輪又はトゥリングとして形成されるということが可能である。
【００３１】
本課題は、本考案に係る又は上述の実施例に記載のリング状装身具を製造する方法が創出されることでも解決される。本方法では、装飾部が、当該装飾部の円周に沿って当該の上方に領域単位で延在する台座に対して相対的に回転自在に配置される。
【００３２】
本方法と関連して、特に、装身具との関連で既に解説した利点が実現される。
【００３３】
本発明の一実施形態によれば、最初に、第１の側部がリング状の本体の第１の側に配置される。装飾部が本体に嵌められる。台座が、第１の側部及び／又は本体と結合される。第２の側部が、本体の第２の側に配置される。
【００３４】
ここで及び以下に挙げる工程が、厳密に、本文で挙げる順序で実施されることは必ずしも必須ではない。むしろ、他の順序も可能である。しかしながら、ここに記載した工程が、記載された順序で厳密に実行される本考案の実施形態が特に好適である。
【００３５】
２つの側部は、好適に、本体に向かって押し込まれ又は押圧されることにより、本体で係止され又は本体に嵌め込まれる。このことにより結果的に、装飾部は、好適に径方向に見て円周全体に沿って本体よりも突出している側部の間で受け止められ、特に、側部によって側方が包囲され、好適に案内される。
【００３６】
好適に、台座は第２の側部と結合される。
【００３７】
台座と、第１の側部、第２の側部及び／又は本体と、の結合は、好適に材料結合によりもたらされ、特に溶接又はろう接によってもたらされる。
【００３８】
本明細書で提案する方法によって、簡単であると共に非常に堅牢でありかつ安定的で再生産可能なやり方で、上述の形態によるリング状装身具を製造することが可能である。
【００３９】
以下では、図面を用いて本考案をさらに詳細に解説する。
【図面の簡単な説明】
【００４０】
【図１】リング中心軸に対して直交するリング状装身具の一実施例の図を示す。
【図２】リング中心軸に沿った図１に係るリング状装身具の上面図を示す。
【図３】図２に示した切断線A−Aに沿った、リング状装身具の概略的な断面図を示す。
【考案を実施するための形態】
【００４１】
図１は、リング中央軸Mに対して直交する方向に見たリング状装身具１の一実施例を示している。装身具１は、円周方向にリング中心軸Mを中心にぐるりと延在するリング状の装飾部３と、装飾部３の上方に領域単位で円周に沿ってかつ円周方向と直交する方向に延在し、特に上記装飾部３の上方に載置された台座５と、を有する。ここでは、装飾部３が台座５に対して相対的にリング中心軸Mを中心に回転自在に支承されることが構想される。これにより、装身具１の特に興味深く変化に富んだ印象が獲得される。
【００４２】
図２は、中心軸Mに沿って見た図１に係る装身具１の図を示している。全ての図において、同一及び機能的に同一の構成要素には同じ符号が付されており、その意味において、先行する記載が参照される。ここでは、宝石が１つだけ装着される台座として台座５が構成され、１つの宝石７、特にブリアントカットのダイアモンドを収容し保持していることは明らかである。
【００４３】
図３は、図２にA−Aで示された切断線に沿った装身具１の断面図を示している。同一及び機能的に同一の構成要素には同じ符号が付されており、その意味において、先行する記載が参照される。
【００４４】
装飾部３は、台座５に対して相対的に固定されたリング状の本体９で、回転自在に支承されており、特に、本体９の外側の周面１１を滑走するよう支承されている。
【００４５】
本体９の側方には２つの側部１３、１５が周設されており、側部１３、１５は径方向に本体９より突出しており、装飾部３は側部１３、１５の間に配置され、特に側部１３、１５の間で支承され、特に好適に側部１３、１５の間に案内されている。
【００４６】
側部１３、１５は、本体に嵌め込まれ及び／又は本体９で係止されている。
【００４７】
本体９は、ぐるりと周回する中央の支承隆起部１７を有し、この支承隆起部１７で装飾部３が支承されている。支承隆起部１７の最下部１９を起点として両側に、図面では僅かではあるが外側に向かって上昇する係合面２１、２３が本体９に形成されている。
【００４８】
側部１３、１５はそれぞれ、図面では規模が僅かであるがリング中心軸Mに向かって下降する複数の嵌込部２５、２７を有しており、ここでは、この嵌込部２５、２７は、側部１３、１５が係合又は嵌入することにより本体９に固定されるために、本体９の係合面２１、２３と協働するよう構成されている。
【００４９】
台座５は、本体９と、及び／又は、側部１３、１５の少なくとも１つ、好適には双方の側部１３、１５と、材料結合により結合され、特に溶接又はろう接により結合される。
【００５０】
ここでは、装飾部３は、宝石のための複数の他の台座２９を有している。この複数の台座２９は、特に小台座として形成され、即ち、特に台座５よりも小さい。好適に、装飾部３はその周面全体に沿って、このような円周に沿って対称的に分散された小台座を有している。
【００５１】
装身具１は、好適に指輪として、又は足輪若しくはトゥリングとして形成される。
【００５２】
装身具１は、特に装飾部３が台座５に対して相対的に回転自在に配置されることで、製造される。
【００５３】
このために、特に、第１の側部が、即ち、ここでは、一般性を失うことなく第１の測部１３がリング状の本体９の第１の側に配置される。その後で、装飾部３が本体９に嵌められ、その際には、台座５が第１の側部１３及び／又は本体９と結合され、特に材料結合により結合される。側部１３、１５のうちの第２の側部１５が、第１の側に対向配置された本体９の第２の側に配置される。
【００５４】
側部１３、１５が、好適に本体９に向かって押し込まれ又は押圧され、従って、側部１３、１５が本体９で係止され又は本体９に嵌め込まれる。この場合に、装飾部３は、本体９上の側部１３、１５の間で受け止められ、もはや装身具１から解離しえない。
【００５５】
好適に、台座５はさらに、第２の側部１５と特に材料結合により、好適には溶接又はろう接により結合される。
【００５６】
以上、本明細書で提案したリング状装身具１及びその製造方法によって、特に魅力的な印象を与え興味深く変化に富んだ装身具１を製造する可能性が生み出される。
【図１】
0003224180.tif 000003
【図２】
0003224180.tif 000004
【図３】
0003224180.tif 000005
【手続補正書】
【提出日】令和1年10月2日(2019.10.2)
【手続補正１】
【補正対象書類名】実用新案登録請求の範囲
【補正対象項目名】全文
【補正方法】変更
【補正の内容】
【実用新案登録請求の範囲】
【請求項１】
リング状の装身具（１）であって、
円周方向に前記装身具（１）のリング中心軸（M）を中心にぐるりと延在する装飾部（３）と、
円周に沿って領域単位で前記装飾部（３）の上方に延在する台座（５）と、
を備え、
前記装飾部（３）は、前記台座（５）に対して相対的に前記リング中心軸（M）を中心に回転可能である、リング状の装身具（１）。
【請求項２】
前記装飾部（３）は、前記台座（５）に対して相対的に固定された、前記装身具（１）のリング状の本体（９）で回転自在に支承されることを特徴とする、請求項１に記載の装身具（１）。
【請求項３】
前記本体（９）の側方には２つの側部（１３、１５）が周設され、前記装飾部（３）は、前記側部（１３、１５）の間に配置されることを特徴とする、請求項２に記載の装身具（１）。
【請求項４】
a）前記側部（１３、１５）は、前記本体（９）に嵌め込まれ及び／又は前記本体（９）に係止されており、及び／又は、
b）前記台座（５）は、前記側部（１３、１５）の少なくとも１つと、溶接又はろう接を含む材料結合により結合される
ことを特徴とする、請求項３に記載の装身具（１）。
【請求項５】
前記台座（５）は、前記本体（９）と、溶接又はろう接を含む材料結合により結合されることを特徴とする、請求項２に記載の装身具（１）。
【請求項６】
前記本体（９）は、前記装飾部（３）を支承するためのぐるりと周回する中央の支承隆起部（１７）を有し、前記支承隆起部（１７）の最下部（１９）を起点として両側に、外側に向かって上昇する係合面（２１、２３）が前記本体（９）に形成されることを特徴とする、請求項３に記載の装身具（１）。
【請求項７】
前記側部（１３、１５）はそれぞれ、前記リング中心軸に向かって下降する複数の嵌込部（２５、２７）を有し、前記嵌込部（２５、２７）は、前記側部（１３、１５）を前記本体（９）に固定するために、前記本体（９）の前記係合面（２１、２３）と協働するよう構成されることを特徴とする、請求項６に記載の装身具（１）。
【請求項８】
a）前記台座（５）は、宝石が１つだけ装着される台座として形成され、及び／又は、
b）前記装飾部（３）は、宝石のための少なくとも１つの他の台座、又は複数の他の台座を有する
ことを特徴とする、請求項１から請求項７のいずれか１項に記載の装身具（１）。
【請求項９】
前記装身具は、指輪として、又は、足輪若しくはトゥリングとして形成されることを特徴とする、請求項１から請求項８のいずれか１項に記載の装身具（１）。